【手続補正書】
【提出日】平成29年2月23日(2017.2.23)
【手続補正１】
【補正対象書類名】明細書
【補正対象項目名】発明の名称
【補正方法】変更
【補正の内容】
【発明の名称】情報処理装置、情報処理システム、制御方法、及びプログラム
【手続補正２】
【補正対象書類名】明細書
【補正対象項目名】００１１
【補正方法】変更
【補正の内容】
【００１１】
本発明は、このような問題点に鑑みなされたもので、商品の需要予測を行う上で必要となる需要実績の乏しい新商品の需要予測を効率的に行うことが可能な、情報処理装置、情報処理システム、制御方法、及びプログラムを提供することを目的とする。
【手続補正３】
【補正対象書類名】明細書
【補正対象項目名】００１２
【補正方法】変更
【補正の内容】
【００１２】
上記目的を達成するための第１の発明は、所定の条件における新商品の需要量を予測する情報処理装置であって、商品の需要量及び需要があった日を含む需要実績を記憶する需要実績記憶手段と、前記新商品の需要予測に用いる商品の選択を受付ける商品情報選択手段と、前記新商品を発売してから需要が安定するまでの期間を示す変動期間を取得する取得手段と、前記商品情報選択手段によって選択された商品の需要実績から当該商品のベース需要量を算出する算出手段と、前記算出手段によって算出したベース需要量と前記取得手段によって取得した新商品の変動期間とに基づいて、前記所定の条件における新商品の需要量を予測するために用いる、前記変動期間におけるベース需要量と前記変動期間以降におけるベース需要量とを決定する決定手段と、を備えたことを特徴とする情報処理装置である。
【手続補正４】
【補正対象書類名】明細書
【補正対象項目名】００１３
【補正方法】変更
【補正の内容】
【００１３】
上記目的を達成するための第２の発明は、クライアント端末と情報処理装置とが、ネットワークを介して接続された情報処理システムであって、前記クライアント端末は、新商品の需要予測に用いる商品の選択を受付ける商品情報選択手段と、を備え、前記情報処理装置は、前記新商品を発売してから需要が安定するまでの期間を示す変動期間を取得する取得手段と、前記商品情報選択手段によって選択された商品の需要実績から当該商品のベース需要量を算出する算出手段と、前記算出手段によって算出したベース需要量と前記取得手段によって取得した新商品の変動期間とに基づいて、所定の条件における新商品の需要量を予測するために用いる、前記変動期間におけるベース需要量と前記変動期間以降におけるベース需要量とを決定する決定手段と、を備えたことを特徴とする情報処理システムである。
【手続補正５】
【補正対象書類名】明細書
【補正対象項目名】００１４
【補正方法】変更
【補正の内容】
【００１４】
上記目的を達成するための第３の発明は、所定の条件における新商品の需要量を予測する、商品の需要量及び需要があった日を含む需要実績を記憶する記憶部を備えた情報処理装置の制御方法であって、前記情報処理装置は、前記新商品の需要予測に用いる商品の選択を受付ける商品情報選択ステップと、前記新商品を発売してから需要が安定するまでの期間を示す変動期間を取得する取得ステップと、前記商品情報選択ステップによって選択された商品の需要実績から当該商品のベース需要量を算出する算出ステップと、前記算出ステップによって算出したベース需要量と前記取得ステップによって取得した新商品の変動期間とに基づいて、前記所定の条件における新商品の需要量を予測するために用いる、前記変動期間におけるベース需要量と前記変動期間以降におけるベース需要量とを決定する決定ステップと、を実行することを特徴とする情報処理装置の制御方法である。
【手続補正６】
【補正対象書類名】明細書
【補正対象項目名】００１５
【補正方法】変更
【補正の内容】
【００１５】
上記目的を達成するための第４の発明は、所定の条件における新商品の需要量を予測する、商品の需要量及び需要があった日を含む需要実績を記憶する記憶部を備えた情報処理装置において読取実行可能なプログラムであって、前記情報処理装置を、前記新商品の需要予測に用いる商品の選択を受付ける商品情報選択手段と、前記新商品を発売してから需要が安定するまでの期間を示す変動期間を取得する取得手段と、前記商品情報選択手段によって選択された商品の需要実績から当該商品のベース需要量を算出する算出手段と、前記算出手段によって算出したベース需要量と前記取得手段によって取得した新商品の変動期間とに基づいて、前記所定の条件における新商品の需要量を予測するために用いる、前記変動期間におけるベース需要量と前記変動期間以降におけるベース需要量とを決定する決定手段と、して機能させるためのプログラムである。
【手続補正７】
【補正対象書類名】明細書
【補正対象項目名】００１６
【補正方法】変更
【補正の内容】
【００１６】
上記目的を達成するための第５の発明は、クライアント端末と商品の需要量及び需要があった日を含む需要実績を記憶する記憶部を備えた情報処理装置とが、ネットワークを介して接続された情報処理システムの制御方法であって、前記クライアント端末は、新商品の需要予測に用いる商品の選択を受付ける商品情報選択ステップ、を実行し、前記情報処理装置は、前記新商品を発売してから需要が安定するまでの期間を示す変動期間を取得する取得ステップと、前記商品情報選択ステップによって選択された商品の需要実績から当該商品のベース需要量を算出する算出ステップと、前記算出ステップによって算出したベース需要量と前記取得ステップによって取得した新商品の変動期間とに基づいて、所定の条件における新商品の需要量を予測するために用いる、前記変動期間におけるベース需要量と前記変動期間以降におけるベース需要量とを決定する決定ステップと、を実行することを特徴とする情報処理システムの制御方法である。
【手続補正８】
【補正対象書類名】明細書
【補正対象項目名】００１７
【補正方法】変更
【補正の内容】
【００１７】
上記目的を達成するための第６の発明は、クライアント端末と商品の需要量及び需要があった日を含む需要実績を記憶する記憶部を備えた情報処理装置とが、ネットワークを介して接続された情報処理システムにおいて、前記クライアント端末を、新商品の需要予測に用いる商品の選択を受付ける商品情報選択手段、として機能させ、前記情報処理装置を、前記新商品を発売してから需要が安定するまでの期間を示す変動期間を取得する取得手段と、前記商品情報選択手段によって選択された商品の需要実績から当該商品のベース需要量を算出する算出手段と、前記算出手段によって算出したベース需要量と前記取得手段によって取得した新商品の変動期間とに基づいて、所定の条件における新商品の需要量を予測するために用いる、前記変動期間におけるベース需要量と前記変動期間以降におけるベース需要量とを決定する決定手段と、して機能させるためのプログラムである。
【手続補正９】
【補正対象書類名】明細書
【補正対象項目名】００１８
【補正方法】変更
【補正の内容】
【００１８】
本発明によれば、商品の需要予測を行う上で必要となる需要実績の乏しい新商品の需要予測を効率的に行うことができる、という効果を奏する。
【手続補正１０】
【補正対象書類名】特許請求の範囲
【補正対象項目名】全文
【補正方法】変更
【補正の内容】
【特許請求の範囲】
【請求項１】
所定の条件における新商品の需要量を予測する情報処理装置であって、
商品の需要量及び需要があった日を含む需要実績を記憶する需要実績記憶手段と、
前記新商品の需要予測に用いる商品の選択を受付ける商品情報選択手段と、
前記新商品を発売してから需要が安定するまでの期間を示す変動期間を取得する取得手段と、
前記商品情報選択手段によって選択された商品の需要実績から当該商品のベース需要量を算出する算出手段と、
前記算出手段によって算出したベース需要量と前記取得手段によって取得した新商品の変動期間とに基づいて、前記所定の条件における新商品の需要量を予測するために用いる、前記変動期間におけるベース需要量と前記変動期間以降におけるベース需要量とを決定する決定手段と、
を備えたことを特徴とする情報処理装置。
【請求項２】
前記決定手段は、前記取得手段によって取得した新商品の変動期間に従って得られた前記算出手段によって算出したベース需要量により、前記変動期間におけるベース需要量を決定することを特徴とする請求項１に記載の情報処理装置。
【請求項３】
前記算出手段は、前記商品情報選択手段によって選択された商品の需要実績から季節変動によって影響を受けた当該商品の需要量を除いたベース需要量を算出することを特徴とする請求項２に記載の情報処理装置。
【請求項４】
前記決定手段は、前記商品の一定期間における算出手段により算出したベース需要量を前記変動期間以降におけるベース需要量を決定することを特徴とする請求項１乃至３の何れか１項に記載の情報処理装置。
【請求項５】
前記決定手段は、前記商品の一定期間における前記算出手段により算出したベース需要量の平均値を前記変動期間以降のベース需要量として決定することを特徴とする請求項４に記載の情報処理装置。
【請求項６】
前記決定手段は、前記新商品の変動期間の販売時期に前記商品の販売時期を合わせ、前記商品の前記変動期間におけるベース需要量を決定することを特徴とする請求項１乃至４の何れか１項に記載の情報処理装置。
【請求項７】
前記商品情報選択手段によって選択した商品の需要実績から、季節変動によって当該商品の需要量に影響を与える指数を算出する指数算出手段と、
前記算出手段は、前記指数算出手段によって算出した指数を用いて、前記商品のベース需要量を算出することを特徴とする請求項１乃至５の何れか１項に記載の情報処理装置。
【請求項８】
前記指数算出手段は、前記変動期間を除外した期間における商品の前記指数を算出することを特徴とする請求項７に記載の情報処理装置。
【請求項９】
前記指数算出手段は、前記商品の終売前の需要の落ち込み期間を除外した期間における前記指数を算出することを特徴とする請求項７または８に記載の情報処理装置。
【請求項１０】
クライアント端末と情報処理装置とが、ネットワークを介して接続された情報処理システムであって、
前記クライアント端末は、
新商品の需要予測に用いる商品の選択を受付ける商品情報選択手段と、
を備え、
前記情報処理装置は、
前記新商品を発売してから需要が安定するまでの期間を示す変動期間を取得する取得手段と、
前記商品情報選択手段によって選択された商品の需要実績から当該商品のベース需要量を算出する算出手段と、
前記算出手段によって算出したベース需要量と前記取得手段によって取得した新商品の変動期間とに基づいて、所定の条件における新商品の需要量を予測するために用いる、前記変動期間におけるベース需要量と前記変動期間以降におけるベース需要量とを決定する決定手段と、
を備えたことを特徴とする情報処理システム。
【請求項１１】
所定の条件における新商品の需要量を予測する、商品の需要量及び需要があった日を含む需要実績を記憶する記憶部を備えた情報処理装置の制御方法であって、
前記情報処理装置は、
前記新商品の需要予測に用いる商品の選択を受付ける商品情報選択ステップと、
前記新商品を発売してから需要が安定するまでの期間を示す変動期間を取得する取得ステップと、
前記商品情報選択ステップによって選択された商品の需要実績から当該商品のベース需要量を算出する算出ステップと、
前記算出ステップによって算出したベース需要量と前記取得ステップによって取得した新商品の変動期間とに基づいて、前記所定の条件における新商品の需要量を予測するために用いる、前記変動期間におけるベース需要量と前記変動期間以降におけるベース需要量とを決定する決定ステップと、
を実行することを特徴とする情報処理装置の制御方法。
【請求項１２】
所定の条件における新商品の需要量を予測する、商品の需要量及び需要があった日を含む需要実績を記憶する記憶部を備えた情報処理装置において読取実行可能なプログラムであって、
前記情報処理装置を、
前記新商品の需要予測に用いる商品の選択を受付ける商品情報選択手段と、
前記新商品を発売してから需要が安定するまでの期間を示す変動期間を取得する取得手段と、
前記商品情報選択手段によって選択された商品の需要実績から当該商品のベース需要量を算出する算出手段と、
前記算出手段によって算出したベース需要量と前記取得手段によって取得した新商品の変動期間とに基づいて、前記所定の条件における新商品の需要量を予測するために用いる、前記変動期間におけるベース需要量と前記変動期間以降におけるベース需要量とを決定する決定手段と、
して機能させるためのプログラム。
【請求項１３】
クライアント端末と商品の需要量及び需要があった日を含む需要実績を記憶する記憶部を備えた情報処理装置とが、ネットワークを介して接続された情報処理システムの制御方法であって、
前記クライアント端末は、
新商品の需要予測に用いる商品の選択を受付ける商品情報選択ステップ、
を実行し、
前記情報処理装置は、
前記新商品を発売してから需要が安定するまでの期間を示す変動期間を取得する取得ステップと、
前記商品情報選択ステップによって選択された商品の需要実績から当該商品のベース需要量を算出する算出ステップと、
前記算出ステップによって算出したベース需要量と前記取得ステップによって取得した新商品の変動期間とに基づいて、所定の条件における新商品の需要量を予測するために用いる、前記変動期間におけるベース需要量と前記変動期間以降におけるベース需要量とを決定する決定ステップと、
を実行することを特徴とする情報処理システムの制御方法。
【請求項１４】
クライアント端末と商品の需要量及び需要があった日を含む需要実績を記憶する記憶部を備えた情報処理装置とが、ネットワークを介して接続された情報処理システムにおいて、
前記クライアント端末を、
新商品の需要予測に用いる商品の選択を受付ける商品情報選択手段、
として機能させ、
前記情報処理装置を、
前記新商品を発売してから需要が安定するまでの期間を示す変動期間を取得する取得手段と、
前記商品情報選択手段によって選択された商品の需要実績から当該商品のベース需要量を算出する算出手段と、
前記算出手段によって算出したベース需要量と前記取得手段によって取得した新商品の変動期間とに基づいて、所定の条件における新商品の需要量を予測するために用いる、前記変動期間におけるベース需要量と前記変動期間以降におけるベース需要量とを決定する決定手段と、
して機能させるためのプログラム。